(57)【要約】  【課題】  実用可能なレベルでホテル客室の空気置換を迅速に短時間で効率的に行うことができるホテル客室用空気置換システムを提供する。  【解決手段】  ホテル客室用空気置換システム２０は、圧縮機２２と、圧縮機２２によって圧縮された圧縮空気を溜めておくエアタンク２４と、各ホテル客室１２に設けられた放出口３４と、エアタンク２４から各ホテル客室１２の放出口３４までを繋ぐ配管２６と、各ホテル客室１２に対応して設けられて配管２６の開閉を行う弁３０と、を備え、弁３０を開いた状態で、１回当たりエアタンク２４から１客室容積に相当する量の圧縮空気をホテル客室１２に連続的に注入し得るようにする。【選択図】  図１
2005155955.tif 000002
【特許請求の範囲】
【請求項１】
一つのホテル客室に圧縮空気を連続して一度に注入し、ホテル客室内の空気を一掃して、そのホテル客室の空気を置換することを特徴とするホテル客室の空気置換方法。
【請求項２】
ホテル客室内の空気を置換するためのホテル客室用空気置換システムであって、
圧縮機と、圧縮機によって圧縮された圧縮空気を溜めておくエアタンクと、各ホテル客室に設けられた放出口と、エアタンクから各ホテル客室の放出口までを繋ぐ配管と、各ホテル客室に対応して設けられて配管の開閉を行う弁とを備え、弁を開いた状態で、１回当たりエアタンクから客室容積に相当する量の圧縮空気をホテル客室に連続的に注入し得るようにしたことを特徴とするホテル客室用空気置換システム。
【請求項３】
前記エアタンクは複数個設けられることを特徴とする請求項２記載のホテル客室用空気置換システム。
【請求項４】
前記配管の口径は１００ｍｍ以下であることを特徴とする請求項２または３記載のホテル客室用空気置換システム。
【請求項５】
前記エアタンクと前記放出口との間には、減圧弁が設けられることを特徴とする請求項２ないし４のいずれか１項に記載のホテル客室用空気置換システム。
【発明の詳細な説明】
【技術分野】
【０００１】
本発明は、ホテル客室の空気置換方法及びホテル客室用空気置換システムに関し、特に、空気の置換を短時間で効率的に行うことができる方法及びシステムに関する。
【背景技術】
【０００２】
ホテル客室においては、同じホテル客室を異なる客が順次、使用するために、前の客が退室した後、居室の残り香、浴室の湯気、しずくなどを除去する作業が必要となり、かかる作業をいかに短時間で効率よく行うかが重要な問題となっている。
【０００３】
従来の方法としては、上記作業は、換気装置によって屋外に排出することによって主に行われている。
【０００４】
ところで、近年の建築物の高密閉化によって、建築物には機械換気が用いられ、その中でも第３種換気（排気のみ機械換気を行う方式）が性能、施工性、コストの面から施主に好まれる傾向にあり、ホテルにおいても各ホテル客室に機械換気の設備がなされていることがほとんどである。
【０００５】
しかしながら、そのような設備があるホテル客室においては、空気バランスが崩れ、陰圧の状態にあるため、設置された換気装置が必要な給気を得られず、十分な能力を発揮できているとは言い難い。そのため、空気の置換や湿気の排除などを短時間で十分に行うことが困難であるという問題がある。
【０００６】
一方、本発明とは全く異なる目的であるが、特開２０００−１２１１２０号公報には、圧縮空気を用いて住宅の換気を行う構成が記載されており、この公報記載の発明では、住宅において台所やトイレのような臭気源からの臭気が居室に流れ込むのを防ぐべく、住宅内に圧縮空気用の配管を配置しており、圧縮機と、圧縮空気を溜める圧力タンクと、前記配管と、配管の居室に露出する部位に取り付けられた圧縮空気出口とを備えている。そして、圧縮空気出口から圧縮空気を放出するようにして、住宅内で臭気源からの臭気が居室に流れ込まないような流れを人工的に作り出している。
【０００７】
しかしながら、このような圧縮空気の使用は、基本的に常時流通させることを意図しているが、２４時間圧縮空気を流出させるためには、圧縮機をその能力が高い大型のものにしなければならず、住宅用途としては適当でなく、その騒音も問題になり、実用レベルで稼動させることは不可能である。
【０００８】
【特許文献１】特開２０００−１２１１２０号公報
【発明の開示】
【発明が解決しようとする課題】
【０００９】
本発明の目的は、かかる課題を解決するために、実用レベルでホテル客室の空気置換を迅速に短時間で効率的に行うことができる空気置換方法及びホテル客室用空気置換システムを提供することである。
【課題を解決するための手段】
【００１０】
上記目的を達成するために、本発明のホテル客室の空気置換方法は、一つのホテル客室に圧縮空気を連続して一度に注入し、ホテル客室内の空気を一掃して、そのホテル客室の空気を置換することを特徴とする。
【００１１】
また、本発明のホテル客室内の空気を置換するためのホテル客室用空気置換システムは、圧縮機と、圧縮機によって圧縮された圧縮空気を溜めておくエアタンクと、各ホテル客室に設けられた放出口と、エアタンクから各ホテル客室の放出口までを繋ぐ配管と、各ホテル客室に対応して設けられて配管の開閉を行う弁とを備え、弁を開いた状態で、１回当たりエアタンクから客室容積に相当する量の圧縮空気をホテル客室に連続的に注入し得るようにしたことを特徴とする。
【００１２】
また、前記エアタンクは複数個設けてもよい。
【００１３】
また、前記配管の口径は１００ｍｍ以下とするとよい。
【００１４】
また、前記エアタンクと前記放出口との間には、減圧弁を設けることができる。
【発明の効果】
【００１５】
本発明によれば、客室容積に相当する量の圧縮空気をホテル客室に注入して、ホテル客室の空気を一掃して置換することで、ホテル客室にこもっている残り香や浴室の湯気、しずくを一挙に除去することができる。こうして、短時間に迅速に空気置換を行うことができる。客室容積に相当する量の圧縮空気を連続して注入することは容易に実現でき、実用レベルの空気置換方法及びホテル客室用空気置換システムとすることができる。好ましくは、置換する圧縮空気の容量、即ち客室容積に相当する量は、ホテル客室の客室容積と同程度の量であると、その１つのホテル客室全体の空気をほぼ入れ替えたことになり、より効果的である。
【００１６】
また、エアタンクを使って圧縮空気を一旦溜めておくことにより、１客室容積に相当する圧縮空気を一度に注入することを、より容易に実現することができる。さらに、エアタンクを複数個設けることにより、分散したタンクの設置が可能となり、タンク設置の自由度を高めることができる。
【００１７】
また、配管を使うことにより、エアタンクから気密性を保ち、高圧の空気をホテル客室内へと搬送することができる。また、配管の口径を１００ｍｍ以下とすることによって、ホテル客室を有するホテル建築物内のような狭い空き空間や既存建物の隣地境界に接した狭小空地に配管を接続する際の施工性を良好にすることができる。従来工法の換気風導管ダクト工法と異なり配管を用いているため、防火区画貫通や隣地よりの延焼のおそれのある部分の外壁貫通も自由に行え、防火ダンパ等の特別な装置を取り付ける必要もない。
【００１８】
また、エアタンクと放出口との間に減圧弁を設けることにより、圧縮空気の放出量を適当に絞り、放出時間、放出速度及び／または１回当たりの注入量を適宜調整することができる。
【発明を実施するための最良の形態】
【００１９】
以下、図面を用いて本発明の実施の形態を説明する。
【００２０】
図１は本発明の実施形態に係るホテル客室の空気置換方法が適用されたホテル客室用空気置換システムを表す概略説明図である。
【００２１】
図において、１０はホテル建築物の一部を表しており、１２はホテルの各階にあるホテル客室である。この例では、代表して各階１つのホテル客室を表しているが、これに限るものではなく、各階、複数のホテル客室１２がある場合にも同様に適用可能である。このホテル客室１２の１客室容積は、ホテル客室１２として通常の８０〜１２０ｍ３の範囲となっている。ホテル客室１２の構成は任意であるが、この例では、図３に示したように、玄関１２Ａ、居室１２Ｂ、浴室１２Ｃ、洗面所１２Ｄ、トイレ１２Ｅの部屋を備えた通常の構成となっており、各部屋の仕切りには扉が適宜設けられて、場合により浴室１２Ｃには窓が設けられている。また、ホテル客室１２の居室１２Ｂ、浴室１２Ｃ及びトイレ１２Ｅには、通常の換気装置１３が設けられており、換気装置１３はダクトによって外部へと繋がれている。
【００２２】
本発明のホテル客室用空気置換システム２０は、大まかに、圧縮機２２と、圧縮機２２によって圧縮された圧縮空気を溜めておくエアタンク２４と、各ホテル客室に設けられた放出口３４と、エアタンク２４とホテル客室１２の放出口３４とを繋ぐ配管２６と、を備えている。
【００２３】
圧縮機２２及びエアタンク２４は、この例ではホテル建築物１０の屋上に配置されている。屋上以外にホテル建築物１０の周囲に配置することも可能である。圧縮機２２は、周囲に与える騒音を低減するために、消音ボックス２５内に配置されるとよい。図２に示すように、エアタンク２４は、必要な圧縮空気の容量に応じて複数個分散して設けると良い。これにより設置場所の選択自由度を増加させることができる。この実施形態では、空気置換は、一度に一部屋のみとし、同時に複数のホテル客室１２の空気置換を行わないようにしているので、エアタンク２４の全容量は、ホテル客室１２の１客室容積に相当する８０〜１２０ｍ３程度となっている。この圧縮空気の圧力としては、最大０．７ＭＰａ、好ましくは、０．３〜０．５ＭＰａ程度に設定される。各エアタンク２４は、減圧弁２７を介して配管２６に接続される。減圧弁２７は、エアタンク２４からの空気放出速度を調整するためのものである。
【００２４】
配管２６は、エアタンク２４から気密性を持って圧縮空気を流すものである。配管２６の途中には、適宜、フィルタ２８が設けられており、圧縮機２２からのオイル等の不純物混入を防ぐようになっている。
【００２５】
配管２６は、各ホテル客室１２へと向かうように適宜分岐されており、その分岐路の配管２６に電磁弁メンテナンス用開閉弁３０’と、電磁弁３０と、サイレンサー３２が設けられる。サイレンサー３２内で大気圧にするのでサイレンサー３２からは通常の換気ダクトで各ホテル客室１２の壁面または天井面等に設けられた放出口３４にまで伸びている。また、図４に示すように、これら分岐された配管２６、電磁弁メンテナンス用開閉弁３０’、電磁弁３０及びサイレンサー３２は、各ホテル客室１２の天井裏１１の空間などの狭所に配置される。配管２６は、その口径が小さく、その口径は１００ｍｍφ以下となっており、ホテル建築物１０内の狭い天井裏１１などの空間内において接続するものとして施工上有利となっている。
【００２６】
電磁弁３０は、対応するホテル客室１２とエアタンク２４とを連通／非連通とするべく配管２６の開閉を行うものであり、清掃者による手動操作（リモートコントロール操作を含む）または、メインコントローラからの指令信号に基づき作動する。サイレンサー３２は、圧縮空気放出時の消音を行うためのものである。また、電磁弁メンテナンス用開閉弁３０’は電磁弁３０メンテナンス時に配管２６を閉鎖するための開閉弁であり、通常は配管２６を開放している。
【００２７】
以上のように構成されるホテル客室用空気置換システムの作用を以下に説明する。
【００２８】
通常時、圧縮機２２は間歇的に作動し、エアタンク２４の圧縮空気に圧力が一定値以下になると、圧縮空気をエアタンク２４に送り込み、エアタンク２４を充満状態に維持している。
【００２９】
あるホテル客室１２の清掃が必要になると、そのホテル客室１２の扉を開放し、浴室に窓がある場合には窓も開放した状態にして、対応する電磁弁３０を開く。これにより、エアタンク２４からの圧縮空気が、フィルタ２８、配管２６を通り、サイレンサ３２で大気圧になって放出口３４から放出される。フィルタ２８を通過した良質な乾燥空気で、ホテル客室１２内の空気を窓または換気装置１３のダクトから一掃し、ホテル客室１２内の空気を完全に置換する。このとき、減圧弁２７によって、圧縮空気の放出速度を適当に絞り、電磁弁３０の開閉時間設定により放出時間及び／または１回当たりの注入量を調整することができる。エアタンク２４が充満状態からほぼ空状態になるまでの放出時間は、１〜１０分位となる。この圧縮空気の連続注入により、居室１２Ｂの残り香、浴室の湯気、しずくなどが一緒に窓または換気装置１３のダクトから排出されて、短時間でホテル客室１２の清掃及び空気置換を行うことができる。
【００３０】
こうして、空気の置換及び湿気の排除などを短時間で効率的に行うことができるようになる。
【００３１】
電磁弁３０が開になってから一定時間が経過すると、電磁弁３０が閉じられる。電磁弁３０が閉じられる前にエアタンク２４がすでに空状態になっている場合には、圧縮機２２から送り込まれる圧縮空気が放出されている。電磁弁３０が閉鎖されると、圧縮機２２が、空状態となったエアタンク２４を充満状態にするべく、エアタンク２４に圧縮空気をチャージし、次のホテル客室１２の清掃に備える。
【００３２】
圧縮機２２は、基本的には圧縮空気を放出していない間のエアタンク２４の充填を行うときだけ作動する間歇稼動となるために、性能の高いものとする必要はなく、実用レベルの市販の圧縮機２２を用いることができる。
【００３３】
尚、本発明は、以上の実施形態に限るものではなく、特許請求の範囲内で種々の変形が可能である。
【００３４】
例えば、以上の動作において、電磁弁３０を開くための指令信号を客がホテル客室を退室したことを検出して、自動的に発生させるようにすることもできる。この場合には、放出口３４から放出されるのと同時に、ホテル客室１２の空気は、換気装置１３から排出される。
【００３５】
また、設置場所に制約がない場合には、エアタンク２４の総貯溜容量を大きくなるようにすることも可能である。この場合、複数のホテル客室１２の空気を同時に置換することも可能になる。しかしながら、設置場所に制約がある場合には、エアタンク２４の総貯留容量を、１つのホテル客室の１回の空気置換に必要な量とすることでも十分である。
【００３６】
さらには、あるホテル客室１２の清掃と次のホテル客室１２の清掃までの時間間隔が短い場合には、減圧弁を調整して、エアタンク２４からの１回の放出容量をホテル客室容積よりも少なくするように制御することも可能である。
【図面の簡単な説明】
【００３７】
【図１】本発明の実施形態に係るホテル客室の空気置換方法が適用されたホテル客室用空気置換システムを表す概略説明図である。
【図２】本発明の実施形態に係るホテル客室用空気置換システムの一部の平面図である。
【図３】本発明の実施形態に係るホテル客室用空気置換システムの一部とホテル客室の平面図である。
【図４】図３の４−４線に沿って見た断面図である。
【符号の説明】
【００３８】
１０  ホテル建築物
１２  ホテル客室
２０  ホテル客室用空気置換システム
２２  圧縮機
２４  エアタンク
２６  配管
３０  電磁弁
３４  放出口
【図１】
2005155955.tif 000003
【図２】
2005155955.tif 000004
【図３】
2005155955.tif 000005
【図４】
2005155955.tif 000006